(57)【特許請求の範囲】
【請求項１】
管路内に残留するケーブルを管路から引き抜くためのケーブル引抜装置において、
ケーブルが挿入される貫通孔が設けられたホルダ部材と、
前記ホルダ部材を引抜方向に移動させる移動機構と、
前記ホルダ部材の前記貫通孔における前記ホルダ部材とケーブルの間に引抜方向側から挿入されるくさび部材とを備え、
前記移動機構により前記ホルダ部材が引抜方向への移動を開始した際、前記くさび部材が前記ホルダ部材から径方向内側に押圧されることによりケーブルに食い込むことによって、前記ホルダ部材が前記くさび部材を介してケーブルを把持し、
ケーブルに対する前記くさび部材の引抜方向への移動を規制するストッパ部材が設けられ、
前記ストッパ部材は、前記くさび部材に対して前記ホルダ部材と反対側のケーブルに固定され、前記ホルダ部材の前記貫通孔から突出した前記くさび部材の引抜方向側の基端部に当接することを特徴とするケーブル引抜装置。
【請求項２】
前記くさび部材は、前記貫通孔における前記ホルダ部材とケーブルの間に引抜方向側から挿入されたあと、引抜方向側の基端部が前記ホルダ部材の前記貫通孔から突出した状態となる請求項１に記載のケーブル引抜装置。
【請求項３】
前記くさび部材は、引抜方向側の基端部に径方向外側に延びる延伸部が設けられている請求項２に記載のケーブル引抜装置。
【請求項４】
前記くさび部材は、引抜方向と反対側の先端部から中央部にかけて径方向内側に突出する凸部を有している請求項２または請求項３に記載のケーブル引抜装置。
【請求項５】
前記ストッパ部材は、ケーブルを挟持するクランプ部材と、前記クランプ部材と前記くさび部材との間に設けられたリング部材を備える請求項１から請求項４のいずれかに記載のケーブル引抜装置。
【請求項６】
前記移動機構は、管路の周囲の壁面に固定される第１の固定部と、前記ホルダ部材が設けられる第２の固定部と、前記第１の固定部と前記第２の固定部の間隔を伸縮させるシリンダ部材とを備える請求項１から請求項５のいずれかに記載のケーブル引抜装置。
【請求項７】
管路内に残留するケーブルを管路から引き抜くためのケーブル引抜方法であって、
ケーブルが挿入される貫通孔が設けられたホルダ部材と、前記ホルダ部材を引抜方向に移動させる移動機構とをケーブルに設置する第１の工程と、
前記ホルダ部材の前記貫通孔における前記ホルダ部材とケーブルの間にくさび部材を引抜方向側から打ち込みながら挿入する第２の工程と、
前記くさび部材の引抜方向側の移動を規制するストッパ部材をケーブルに固定する第３の工程と、
前記移動機構により前記ホルダ部材の引抜方向への移動を開始した際、前記くさび部材が前記ホルダ部材から径方向内側に押圧されることによりケーブルに食い込むことによって、前記ホルダ部材が前記くさび部材を介してケーブルを把持する第４の工程と、
前記移動機構により前記ホルダ部材を引抜方向にさらに移動させることによって、前記ホルダ部材により把持されたケーブルを引き抜く第５の工程と、
前記移動機構により前記ホルダ部材を引抜方向の反対方向に移動させることによって、前記ホルダ部材の前記貫通孔から前記くさび部材を抜き出す第６の工程とを備えることを特徴とするケーブル引抜方法。
【請求項８】
前記第２の工程から前記第６の工程を繰り返すことによりケーブルの全体または一部を引き抜いていく請求項７に記載のケーブル引抜方法。
【発明の詳細な説明】
【技術分野】
【０００１】
本発明は、管路内に残留するケーブルを管路から引き抜くためのケーブル引抜装置に関するものである。
【背景技術】
【０００２】
一般に、光ファイバーケーブル等の通信用のケーブルは、地中に埋設した管路内に布設される。このケーブルは、経年劣化や回線廃止等の理由により使用されなくなったとき、管理上および経済上の理由から撤去されることが望ましい。
【０００３】
ところが、上記ケーブルは、地中の変動や災害によって管路が途中で折れ曲がったり、あるいは管路内に入り込んだ砂・泥あるいはケーブルから出た錆等により管路の内面に密着するなどしてケーブルが管路内に固定化されてしまって、ケーブルを引き抜くために大きな牽引力が必要な場合が少なくなかった。
【０００４】
そこで、従来、ケーブルの先端にワイヤを巻き付け、ワイヤをウインチで巻き取ることによりケーブルを牽引して管路から引き抜くことが行われていた（特許文献１参照）。
【先行技術文献】
【特許文献】
【０００５】
【特許文献１】特開２００８−１２５３４０号公報
【発明の概要】
【発明が解決しようとする課題】
【０００６】
しかしながら、上記のようにウインチで牽引した場合、ウインチの一般的な牽引力の１０００〜５０００ｋｇｆ（１〜５ｔ）ではケーブルを引き抜けないことが少なくなかった。また、例えば２００００ｋｇｆ（２０ｔ）程度の牽引力を有する大型のウインチを使用した場合、ケーブルを引き抜くために必要な牽引力に対してワイヤの把持力が十分でなかったため、ワイヤがスリップしてケーブルから抜けることにより作業上極めて危険な事態も頻発していた。
【０００７】
本発明は、上述の技術的背景に鑑みてなされたものであり、管路内に残留するケーブルケーブルを管路から簡単かつ確実に引き抜くことができるケーブル引抜装置を提供することを目的とする。
【課題を解決するための手段】
【０００８】
本発明は、上記目的を達成するために、管路内に残留するケーブルを管路から引き抜くためのケーブル引抜装置において、ケーブルが挿入される貫通孔が設けられたホルダ部材と、前記ホルダ部材を引抜方向に移動させる移動機構と、前記ホルダ部材の前記貫通孔における前記ホルダ部材とケーブルの間に引抜方向側から挿入されるくさび部材とを備え、前記移動機構により前記ホルダ部材が引抜方向への移動を開始した際、前記くさび部材が前記ホルダ部材から径方向内側に押圧されることによりケーブルに食い込むことによって、前記ホルダ部材が前記くさび部材を介してケーブルを把持することを特徴とする。
【０００９】
これによれば、くさび部材がケーブルに食い込むことによってホルダ部材がケーブルを大きな把持力で把持するため、ケーブルを管路から簡単かつ確実に引き抜くことができる。
【００１０】
また、前記くさび部材は、前記貫通孔における前記ホルダ部材とケーブルの間に引抜方向側から挿入されたあと、引抜方向側の基端部が前記ホルダ部材の前記貫通孔から突出した状態となるのが好ましい。これによれば、くさび部材を貫通孔におけるホルダ部材とケーブルの間に引抜方向側から挿入する際、くさび部材の基端部を引抜方向側からハンマー等で打ち込む易くなる。
【００１１】
また、前記くさび部材は、引抜方向側の基端部に径方向外側に延びる延伸部が設けられているのが好ましい。これによれば、くさび部材の基端部の引抜方向側の面積が大きくなるため、くさび部材の基端部を引抜方向側からハンマー等で確実に打ち込むことができる。
【００１２】
また、前記くさび部材は、引抜方向と反対側の先端部から中央部にかけて径方向内側に突出する凸部を有しているのが好ましい。これによれば、くさび部材がホルダ部材に押圧された際、くさび部材の先端部から中央部の凸部がよりケーブルに深く食い込むため、ケーブルをさらに大きな把持力で強固に把持することができる。
【００１３】
また、ケーブルに対する前記くさび部材の引抜方向への移動を規制するストッパ部材が設けられているのが好ましい。これによれば、移動機構によりホルダ部材が引抜方向への移動を開始した際、ストッパ部材によりケーブルに対するくさび部材の引抜方向への移動が規制されているため、くさび部材がケーブル上をスリップすることなくケーブルにさらに食い込むことになり、ケーブルをさらに大きな把持力で強固に把持することができる。
【００１４】
また、前記ストッパ部材は、前記くさび部材に対して前記ホルダ部材と反対側のケーブルに固定され、前記ホルダ部材の前記貫通孔から突出した前記くさび部材の引抜方向側の基端部に当接するのが好ましい。これによれば、ケーブルに対するくさび部材の引抜方向側の移動を簡単かつ確実に規制することができる。
【００１５】
また、前記ストッパ部材は、ケーブルを挟持するクランプ部材と、前記クランプ部材と前記くさび部材との間に設けられたリング部材を備えるのが好ましい。これによれば、簡易な構成にして、ケーブルに対するくさび部材の引抜方向側の移動を確実に規制することができる。
【００１６】
また、前記移動機構は、管路の周囲の壁面に固定される第１の固定部と、前記ホルダ部材が設けられる第２の固定部と、前記第１の固定部と前記第２の固定部の間隔を伸縮させるシリンダ部材とを備えるのが好ましい。これによれば、簡易な構成にして、ホルダ部材を引抜方向に確実に移動させることができる。
【００１７】
また、本発明は、管路内に残留するケーブルを管路から引き抜くためのケーブル引抜方法であって、ケーブルが挿入される貫通孔が設けられたホルダ部材と、前記ホルダ部材を引抜方向に移動させる移動機構とをケーブルに設置する第１の工程と、前記ホルダ部材の前記貫通孔における前記ホルダ部材とケーブルの間にくさび部材を引抜方向側から打ち込みながら挿入する第２の工程と、前記くさび部材の引抜方向側の移動を規制するストッパ部材をケーブルに固定する第３の工程と、前記移動機構により前記ホルダ部材の引抜方向への移動を開始した際、前記くさび部材が前記ホルダ部材から径方向内側に押圧されることによりケーブルに食い込むことによって、前記ホルダ部材が前記くさび部材を介してケーブルを把持する第４の工程と、前記移動機構により前記ホルダ部材を引抜方向にさらに移動させることによって、前記ホルダ部材により把持されたケーブルを引き抜く第５の工程と、前記移動機構により前記ホルダ部材を引抜方向の反対方向に移動させることによって、前記ホルダ部材の前記貫通孔から前記くさび部材を抜き出す第６の工程とを備え、前記第２の工程から前記第６の工程を繰り返すことによりケーブルの全体または一部を引き抜いていくことを特徴とする。
【発明の効果】
【００１８】
本発明によれば、くさび部材がケーブルに食い込むことによってホルダ部材がケーブルを大きな把持力で把持するため、ケーブルを管路から簡単かつ確実に引き抜くことができる。而して、装置の構成が簡易であって大型化しないため、装置の運搬や設置の際の作業性が向上する。また、引抜きの過程でケーブルが装置に対してスリップする虞もないため、ケーブルの引抜き作業時の安全性が向上する。
【図面の簡単な説明】
【００１９】
【図１】本発明の実施形態に係るケーブル引抜装置の斜視図である。
【図２】図１のケーブル引抜装置の側面図である。
【図３】図２のホルダ部材の正面図である。
【図４】図２のくさび部材周りの拡大断面図である。
【図５】ケーブル引抜装置の使用方法を示す第１の側面図である。
【図６】ケーブル引抜装置の使用方法を示す第２の側面図である。
【発明を実施するための形態】
【００２０】
次に、本発明に係るケーブル引抜装置（以下、本装置１という。）の実施形態について図１〜図６を参照しつつ説明する。
【００２１】
＜本装置の構成＞  
まず、本装置１の構成について説明する。なお、本明細書において、引抜方向とは図１のＸ軸方向をいい、奥方向とは図１のＹ軸方向をいい、上方向とは図１のＺ軸方向をいう。
【００２２】
本装置１は、図１および図２に示すように、地中に埋設される管路Ｔ内に残留するケーブルＣを管路Ｔから引き抜くためのケーブル引抜装置であって、貫通孔２１が設けられたホルダ部材２と、ホルダ部材２を移動させる移動機構３と、貫通孔２１に挿入されるくさび部材４と、ケ−ブルＣの周囲に固定されるストッパ部材５とを備えている。
【００２３】
前記ホルダ部材２は、くさび部材４を介してケーブルＣを把持する円筒状部材であって、軸方向に延びる貫通孔２１と、貫通孔２１が形成された径大部２２、縮径部２３および径小部２４と、縮径部２３および径小部２４の径方向外側に設けられた連結部２５とを備えている。
【００２４】
前記貫通孔２１は、図３に示すように、ケーブルＣが挿入される円形のケーブル挿入孔２１ａと、くさび部材４が挿入される矩形のくさび挿入溝２１ｂとを備えている。ケーブル挿入孔２１ａは、ホルダ部材２の中央に軸方向に延びて設けられている。一方、くさび挿入溝２１ｂは、ケーブル挿入孔２１ａの周面に等間隔に４つ並んで設けられている。このくさび挿入溝２１ｂは、図４に示すように、溝底においてくさび部材４の径方向外側の面に沿う態様で傾斜したテーパ状の傾斜面２１１を有し、引抜き方向側からその反対側に向かうに従い溝の深さが次第に浅くなっている。
【００２５】
前記径大部２２、縮径部２３および径小部２４は、断面が円形の部材であって、ホルダ部材２の引抜方向側からその反対方向に向かってこの順に連続して設けられている。
【００２６】
前記連結部２５は、移動機構３が連結される部分であって、周方向に等間隔に３つ並んで設けられている。各連結部２５は、周方向に貫通する軸孔２５１が設けられ、該軸孔２５１に移動機構３の後述する軸部材３２３が挿入される。
【００２７】
前記移動機構３は、管路Ｔの周囲の壁面Ｗに固定される第１の固定部３１と、ホルダ部材２が設けられる第２の固定部３２と、第１の固定部３１と第２の固定部３２の間隔を伸縮させるシリンダ部材３３とを備えている。なお、移動機構３は、中心に軸方向に延びケーブルＣが挿入される空間Ｓが形成されている。
【００２８】
前記第１の固定部３１は、壁面Ｗに固定される壁面固定部３１１と、壁面固定部３１１の引抜方向側に設けられシリンダ部材３３が取り付けられるシリンダ取付部３１２と、シリンダ取付部３１２に設けられた吊下部３１３とを備えている。
【００２９】
前記壁面固定部３１１は、壁面Ｗに当接する円環状の壁面保護部３１１ａと、壁面保護部３１１ａを支持する６枚の板状の支持部３１１ｂを備えている。
【００３０】
前記シリンダ取付部３１２は、シリンダ部材３３のシリンダチューブ３３２の基端部を支持する円板状の第１の支持板部３１２ａと、シリンダ部材３３のシリンダチューブ３３２の先端部を支持する円板状の第２の支持板部３１２ｂと、第１の支持板部３１２ａと第２の支持板部３１２ｂを接続する４枚の板状の接続板部３１２ｃを備えている。
【００３１】
前記吊上部３１３は、シリンダ取付部３１２の上部中央から上方に延びる環状に形成されている。この吊上部３１３は、図１に示すように、本装置１の使用時に金属製のチェーンＫにより吊り上げられることにより、連結部２５において連結されたホルダ部材２と移動機構３を宙吊り状態にして略水平に保つ。
【００３２】
前記第２の固定部３２は、シリンダ部材３３の先端部に取り付けられる基部３２１と、基部３２１から引抜方向に延び周方向に並ぶ２つの軸部材支持部３２２と、２つの軸部材支持部３２２を貫通する軸部材３２３とを備えている。
【００３３】
前記シリンダ部材３３は、油圧シリンダであって、軸方向に進退してシリンダ部材３３を伸縮させるピストンロッド３３１と、ピストンロッド３３１を収容するシリンダチューブ３３２と、作動油を流入または流出させるポート３３３を備えている。このシリンダ部材３３は、同一長さ・同一ストローク・同一出力のものが周方向に等間隔に３つ並んで設けられている。
【００３４】
前記移動機構３は、シリンダ部材３３が軸方向に伸びることにより第１の固定部３１と第２の固定部３２の間隔を伸長させてホルダ部材２を引抜方向に移動させる一方、シリンダ部材３３が軸方向に縮むことにより第１の固定部３１と第２の固定部３２の間隔を収縮させてホルダ部材２を引抜方向の逆方向に移動させる。このとき、シリンダ部材３３が周方向に等間隔に並んで設けられているため、ホルダ部材２に軸対称な力を均等に作用させることができる。
【００３５】
前記くさび部材４は、前記ホルダ部材２の貫通孔２１におけるホルダ部材２とケーブルＣの間に挿入されるくさび状の部材である。具体的には、くさび部材は、図１および図２に示すように、貫通孔２１におけるホルダ部材２とケーブルＣの間の各くさび挿入溝２１ｂに引抜方向側から挿入されたあと、引抜方向側の基端部４１が前記ホルダ部材２の貫通孔２１から突出した状態となる。これによれば、くさび部材４をホルダ部材２の貫通孔２１におけるホルダ部材２１とケーブルＣの間に引抜方向側から挿入する際、くさび部材４の基端部４１を引抜方向側からハンマー等で打ち込む易くなる。
【００３６】
また、前記くさび部材４は、図４に示すように、周方向に一定の厚さを有し、引抜方向側の基端部４１から先端部に向かうに従って径方向の長さ（高さ）が次第に小さくなるテーパ状に形成されている。このため、前記移動機構３によりホルダ部材２が引抜方向への移動を開始した際、くさび部材４はホルダ部材２の傾斜面２１１から径方向内側に押圧されることによりケーブルＣに食い込むことによって、ホルダ部材２がくさび部材４を介してケーブルＣを把持する。
【００３７】
また、前記くさび部材４は、引抜方向側の基端部４１において引抜方向から径方向外側にＬ字に屈曲して径方向外側に延びる延伸部４２が設けられている。これによれば、くさび部材４の基端部４１の引抜方向側の面積が大きくなるため、くさび部材４の基端部４１を引抜方向側からハンマー等で確実に打ち込むことができる。
【００３８】
また、前記くさび部材４は、引抜方向と反対側の先端部から中央部において径方向内側に突出する凸部４３を有している。この凸部４３は、後端付近における径方向の長さがくさび挿入溝２１ｂの径方向の長さより長く形成されている。これによれば、くさび部材４がホルダ部材２に押圧された際、くさび部材４の先端部から中央部の凸部４３がよりケーブルＣに深く食い込むため、ケーブルＣをさらに大きな把持力で強固に把持することができる。
【００３９】
また、前記くさび部材４は、凸部４３の後端部においてエッジを落とした傾斜面４３ａが設けられている。これによれば、凸部４３の後端部においてケーブルＣがエッジにより損傷するのを防止することができる。
【００４０】
前記ストッパ部材５は、ケーブルＣに対するくさび部材４の引抜方向への移動を規制する規制部材であって、ケーブルＣを挟持するクランプ部材５１と、クランプ部材５１とくさび部材４との間に設けられたリング部材５２を備えている。
【００４１】
前記クランプ部材５１は、図１および図２に示すように、ケーブルＣを両側面から挟持するクランプである。このクランプ部材５１は、手前側に配置される第１クランプ片５１１と、奥側に配置される第２クランプ片５１２を備え、第１クランプ片５１１と第２クランプ片５１２の上部および下部がボルト５１３により締め付けられることによりケーブルＣを挟みつけてケーブルＣに対して移動不能に固定される。
【００４２】
前記リング部材５２は、クランプ部材５１に当接されるリング本体５２１と、くさび部材４側に当接される鍔部５２２を備え、引抜方向に延びる挿入孔５２３にケーブルＣが挿入される。
【００４３】
而して、移動機構３によりホルダ部材２が引抜方向への移動を開始した際、ストッパ部材５によりケーブルＣに対するくさび部材４の引抜方向への移動が規制されているため、くさび部材４がケーブルＣ上をスリップすることなくケーブルＣにさらに食い込むことになり、ケーブルＣをさらに大きな把持力で強固に把持することができる。
【００４４】
＜本装置の使用方法＞
次に、本装置１の使用方法について説明する。
【００４５】
まず、移動機構３の第２の固定部３２にホルダ部材２を連結したあと、吊上部３１３をチェーンＫで吊り上げることにより、ホルダ部材２と移動機構３を宙吊り状態にして水平に保つ。
【００４６】
次に、図５（ａ）に示すように、ホルダ部材２の貫通孔２１のケーブル挿入孔２１ａと移動機構３の空間ＳにケーブルＣを挿入しながらホルダ部材２と移動機構３を引抜方向の反対方向に水平移動させ、移動機構３の第１の固定部３１を壁面Ｗに固定するとともに、ホルダ部材２と移動機構３をケーブルＣに設置する（第１の工程）。
【００４７】
次に、図５（ｂ）に示すように、くさび部材４をホルダ部材２の貫通孔２１のくさび挿入溝２１ｂに引抜方向側からハンマーで打ち込みながら挿入する（第２の工程）。
【００４８】
次に、図５（ｃ）に示すように、くさび部材４の引抜方向側のケーブルＣにストッパ部材５を固定する（第３の工程）。
【００４９】
このとき、移動機構３はシリンダ部材３３が縮んだ収縮状態にある。また、ストッパ部材５は、くさび部材４の引抜方向側に配置され、ケーブルＣに対するくさび部材４の引抜方向への移動を規制している。
【００５０】
次に、図６（ａ）に示すように、移動機構３によるホルダ部材２の引抜方向への移動が開始すると、くさび部材４がホルダ部材２の傾斜面２１１から径方向内側に押圧されることによりケーブルＣに食い込む。これにより、ホルダ部材２がくさび部材４を介してケーブルＣを強固に把持する（第４の工程）。
【００５１】
次に、移動機構３によりホルダ部材２が引抜方向にさらに移動すると、ホルダ部材２がくさび部材４を介して把持したケーブルＣを引抜方向へ移動させる。これにより、図６（ｂ）に示すように、移動機構３はシリンダ部材３３が伸びた伸長状態になり、移動機構３のストローク長だけケーブルＣが管路Ｔから引き抜かれる（第５の工程）。
【００５２】
次に、図６（ｃ）に示すように、移動機構３が収縮状態に戻ると、移動機構３によりホルダ部材２が引抜方向の反対方向に移動して、くさび部材４がホルダ部材２の貫通孔２１から抜き出される（第６の工程）。
【００５３】
以下、第２の工程から第６の工程までを繰り返して、移動機構３のストローク長のケーブルＣの引く抜きを繰り返すことにより、最終的にケーブルＣの全体または一部が管路Ｔから引き抜かれる。
【００５４】
而して、くさび部材４がケーブルＣに食い込むことによってホルダ部材２がケーブルＣを大きな把持力で把持するため、ケーブルＣを引き抜くために必要な牽引力に対してホルダ部材２の把持力が十分な大きさとなり、ケーブルＣを管路Ｔから簡単かつ確実に引き抜くことができる。
【００５５】
なお、本実施形態において、くさび挿入溝２１ｂは、４つ設けられるものとして説明したが、その他の個数設けられてもよい。
【００５６】
また、移動機構３は、シリンダ部材３３によりホルダ部材２を移動させるものとして説明したが、その他の部材によりホルダ部材２を移動させるものであってもよい。
【００５７】
また、ストッパ部材５は、クランプ部材５１とリング部材５２を備えるものとして説明したが、単一の部材からなる等、その他の構成であってもよい。
【００５８】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００５９】
１…本装置（ケーブル引抜装置）
２…ホルダ部材
２１…貫通孔
２１ａ…ケーブル挿入孔
２１ｂ…くさび挿入溝
２１１…傾斜面
２２…径大部
２３…縮径部
２４…径小部
２５…連結部
２５１…軸孔
３…移動機構
３１…第１の固定部
３１１…壁面固定部
３１１ａ…壁面保護部
３１１ｂ…支持部
３１２…シリンダ取付部
３１２ａ…第１の支持板部
３１２ｂ…第２の支持板部
３１２ｃ…接続板部
３１３…吊上部
３２…第２の固定部
３２１…基部
３２２…軸部材支持部
３２３…軸部材
３３…シリンダ部材
３３１…ピストンロッド
３３２…シリンダチューブ
３３３…ポート
４…くさび部材
４１…基端部
４２…延伸部
４３…凸部
４３ａ…傾斜面
５…ストッパ部材
５１…クランプ部材
５１１…第１クランプ片
５１２…第２クランプ片
５１３…ボルト
５２…リング部材
５２１…リング本体
５２２…鍔部
５２３…挿入孔
Ｃ…ケーブル
Ｓ…空間
Ｔ…管路
Ｗ…壁面
Ｋ…チェーン
【要約】
【課題】管路内に残留するケーブルケーブルを管路から簡単かつ確実に引き抜くことができるケーブル引抜装置を提供することを目的とする。
【解決手段】管路Ｔ内に残留するケーブルＣを管路から引き抜くためのケーブル引抜装置である。本装置１は、ケーブルＣが挿入される貫通孔２１が設けられたホルダ部材２と、ホルダ部材２を引抜方向に移動させる移動機構３と、ホルダ部材２の貫通孔２１におけるホルダ部材２とケーブルＣの間に引抜方向側から挿入されるくさび部材４とを備える。移動機構３によりホルダ部材２が引抜方向への移動を開始した際、くさび部材４がホルダ部材２から径方向内側に押圧されることによりケーブルに食い込むことによって、ホルダ部材２がくさび部材４を介してケーブルＣを把持する。
【選択図】図１【図１】
0006869585.tif 000002
【図２】
0006869585.tif 000003
【図３】
0006869585.tif 000004
【図４】
0006869585.tif 000005
【図５】
0006869585.tif 000006
【図６】
0006869585.tif 000007